(57)【要約】【課題】冷蔵庫本体再設置の際の作業性を高めた冷蔵庫の提供。【解決手段】冷蔵庫本体１の前方底部を覆う化粧カバー２３に高さ調節用の工具３６を取り付ける工具取り付け部３７を設け、この工具取り付け部３７に工具３６を装着した構成としてある。これにより、高さ調節を行った後の工具３６は化粧カバー２３の裏面に装着して保管することができ、紛失を防止することができる。また、再設置時には化粧カバー２３を取り外すことによって工具３６があることにきづき、これを使用して高さ調節することができ、再設置の際の作業性が非常に良いものとなる。【選択図】図７
2019011935.tif 000002
【特許請求の範囲】
【請求項１】
開口部を扉によって開閉される冷蔵庫本体と、前記冷蔵庫本体の底部に設けた高さ調節可能な脚部と、前記冷蔵庫本体の前方側の脚部を覆う化粧カバーと、前記脚部の高さを調節する工具とを備え、前記化粧カバーはその裏面に工具取り付け部を設けて当該工具取り付け部に前記工具を装着した冷蔵庫。
【請求項２】
化粧カバーの工具取り付け部は当該工具取り付け部に装着した工具の後方部が冷蔵庫本体側に突出して冷蔵庫本体の底面とオーバーラップする構成とした請求項１記載の冷蔵庫。
【請求項３】
化粧カバーは工具の冷蔵庫本体とオーバラップする部分を覆うカバー部を有する構成とした請求項２記載の冷蔵庫。
【請求項４】
工具は略く字状に屈曲した構成とするとともに、化粧カバーには前記工具の逆向き装着を防止する逆付け防止部を設けた請求項１〜３のいずれか１項記載の冷蔵庫。
【請求項５】
冷蔵庫本体はその前方側底部の左右に搬送用の把手部材を更に備え、化粧カバーは前記把手部材も覆うとともにその工具取り付け部は前記左右の把手部材の間に位置する如く設けた請求項１〜４のいずれか１項記載の冷蔵庫。
【請求項６】
把手部材は手挿入用開口と把手部とを備え、前記把手部の手挿入用開口縁側の端部に膨出部を設けた請求項５記載の冷蔵庫。
【請求項７】
把手部材は手挿入用開口の後側の壁面に後方向に窪む凹所を設けた請求項６記載の冷蔵庫。
【請求項８】
化粧カバーの前端は扉の前面と同一もしくは後方に位置する構成とした請求項１〜７のいずれか１項記載の冷蔵庫。
【発明の詳細な説明】
【技術分野】
【０００１】
本発明は冷蔵庫、特に冷蔵庫本体の底部に設けた脚部の高さ調節に関するものである。
【背景技術】
【０００２】
一般に冷蔵庫は、その冷蔵庫本体の底部に高さ調節可能な脚部、あるいは搬送用の把手を兼用した高さ調節可能な脚部が設けてあり、この脚部の高さを調節することによって冷蔵庫本体を床面に水平設置可能としてある（例えば、特許文献１参照）。
【０００３】
図１４は特許文献１に記載された冷蔵庫を示し、この冷蔵庫は、冷蔵本体１０１の底部四隅に高さ調節可能な脚部１０２が設けてあり、この脚部１０２の高さを調節することによって冷蔵庫本体１０１を床面に水平設置可能となっている。
【０００４】
そして、上記脚部１０２のうち冷蔵庫本体１０１の前方側の脚部１０２は美観と安全性を確保する観点から冷蔵庫本体１０１の前方底部に着脱自在な化粧カバー１０３を装着して覆っている。
【０００５】
なお、上記特許文献１の冷蔵庫のように脚部１０２が把手部を備えていない場合、冷蔵庫本体１０１の前方底部には上記脚部１０２とは別に搬送用の把手部材（図示せず）が併設してあるが、この場合、化粧カバー１０３は把手部材も前記脚部１０２とともに覆うように構成してある。
【先行技術文献】
【特許文献】
【０００６】
【特許文献１】実開平２−６２３９３号公報
【発明の概要】
【発明が解決しようとする課題】
【０００７】
上記構成からなる冷蔵庫は、脚部１０２の高さを調節することによって冷蔵庫本体１０１を床面に水平設置可能とするが、近年の冷蔵庫は大型化して重くなっているため脚部１０２はレンチ等の工具を用いて高さ調節するようになってきつつある。
【０００８】
ところが、上記工具は冷蔵庫設置後、ユーザに保管してもらうようにしているため、紛失することがあり、冷蔵庫本体１０１を移動させ再設置する際の調節作業が困難になる、という課題があった。特に最近の冷蔵庫は大型化が急速に進んでいるため、この工具紛失は大きな課題となりつつある。
【０００９】
また、上記脚部１０２を覆う化粧カバー１０３はその前端が冷蔵庫本体１０１の扉１０４の前面より前方に突出しているため、脚部１０２を露出させたままとした場合に比べると美観と安全性は向上しているものの、さらなる改善の余地が残るものであった。
【００１０】
特に脚部１０２とともに搬送用の把手部材を併設したものにあっては、冷蔵庫本体の大型化に伴う重量増に対応すべく手掛け部の強度を上げる必要があって手掛け部の前後幅寸法が大きくなる傾向にある。そのため把手部材の前端が前方へ飛び出しやすくなって、これを覆う化粧カバー１０３の前端の前方への突出代が大きくなる傾向にあった。
【００１１】
本発明はこのような点、特に前者の工具紛失の点に鑑みてなしたもので、工具を紛失することなく保管できるようにして再設置の際の作業性を高めた冷蔵庫の提供を目的とした
ものである。
【課題を解決するための手段】
【００１２】
本発明は、上記目的を達成するため、開口部を扉によって開閉される冷蔵庫本体と、前記冷蔵庫本体の底部に設けた高さ調節可能な脚部と、前記冷蔵庫本体の前方側の脚部を覆う化粧カバーと、前記脚部の高さを調節する工具とを備え、前記化粧カバーはその裏面に工具取り付け部を設けて当該工具取り付け部に前記工具を装着した構成としてある。
【００１３】
これにより、工具を用いて脚部の高さ調節ができるとともに、高さ調節を行った後の工具は化粧カバーの裏面に装着して保管することができ、紛失を防止することができる。また、再設置時の高さ調節時には高さ調節を行うときに必要となる化粧カバーを取り外すことによって工具があることに気づき、工具忘れすることなく高さ調節することができる。しかも、上記化粧カバーを取り外す作業は高さ調節に必須の作業であるので、別途工具取り出しのための専用の作業を行うというようなわずらわしさもなく、再設置の際の作業性が非常に良いものとなる。
【発明の効果】
【００１４】
本発明は、上記した構成によって、工具の紛失がなく、かつ、再設置時には工具忘れをすることなくこれを用いて高さ調節することができ、再設置の際の作業性が高い冷蔵庫とすることができる。
【図面の簡単な説明】
【００１５】
【図１】本発明の実施の形態１における冷蔵庫の斜視図
【図２】同実施の形態１における冷蔵庫の縦断面図
【図３】同実施の形態１における冷蔵庫の冷蔵庫本体前方底部を示す斜視図
【図４】同実施の形態１における冷蔵庫の冷蔵庫本体前方底部を示す正面図
【図５】同実施の形態１における冷蔵庫の冷蔵庫本体前方底部を示す側面図
【図６】同実施の形態１における冷蔵庫の冷蔵庫本体を底面側から見た斜視図
【図７】同実施の形態１における冷蔵庫の冷蔵庫本体の底面を示す下面図
【図８】図７の要部拡大下面図
【図９】図８のＡ−Ａ断面図
【図１０】同実施の形態１における冷蔵庫の脚部高さ調節用工具を取り外した時の冷蔵庫本体を底面側から見た斜視図
【図１１】図１０の要部拡大斜視図
【図１２】図８のＢ−Ｂ断面図
【図１３】図８のＣ−Ｃ断面図
【図１４】従来の冷蔵庫の断面図
【発明を実施するための形態】
【００１６】
第１の発明は、開口部を扉によって開閉される冷蔵庫本体と、前記冷蔵庫本体の底部に設けた高さ調節可能な脚部と、前記冷蔵庫本体の前方側の脚部を覆う化粧カバーと、前記脚部の高さを調節する工具とを備え、前記化粧カバーはその裏面に工具取り付け部を設けて当該工具取り付け部に前記工具を装着した構成としてある。
【００１７】
これにより、工具を用いて脚部の高さ調節ができるとともに、高さ調節を行った後の工具は化粧カバーの裏面に装着して保管することができ、紛失を防止することができる。また、再設置時の高さ調節時には化粧カバーの取り外しによって工具があることに気づき、これを使用して高さ調節することができる。即ち、上記化粧カバーの取り外しは脚部の高さ調節を行う際に必ず行う作業であるので、この作業をすることによって工具の存在に気づき工具を忘れることなく使用して高さ調節することができる。しかも、上記化粧カバー
を取り外す作業は高さ調節に必須の作業であるので、別途工具取り出しのための専用の作業を行うというようなわずらわしさもなく、再設置の際の作業性が非常に良いものとなる。
【００１８】
第２の発明は、第１の発明において、前記化粧カバーの工具取り付け部は当該工具取り付け部に装着した工具の後方部が冷蔵庫本体側に突出して冷蔵庫本体の底面とオーバーラップする構成としてある。
【００１９】
これにより、化粧カバーに工具を装着するようにしたことによる弊害を解消して美観及び安全性の高い冷蔵庫とすることができる。即ち、化粧カバーに工具を単純に装着する構成とすると、工具の前後方向幅分だけ化粧カバーの前後方向幅が大きなものとなってしまい、化粧カバーの前端が冷蔵庫本体の扉前面より突出しがちになる。しかし工具の後方部が冷蔵庫本体側に突出して冷蔵庫本体の底面とオーバーラップする状態で装着可能な構成とすると、化粧カバーの前後方向幅を短いものとすることができる。したがって、化粧カバーはその前端が冷蔵庫本体の扉前面より突出することがないように設置することができ、美観及び安全性の高い冷蔵庫とすることができる。
【００２０】
第３の発明は、第２の発明において、前記化粧カバーは工具の冷蔵庫本体とオーバラップする部分を覆うカバー部を設けた構成としてある。
【００２１】
これにより、冷蔵庫本体の底部に結露が生じてこれが落下するようなことがあっても工具に結露水が付着するのを防止でき、金属で形成することが多い工具の腐食を防止して長期間良好な状態で保管することができる。
【００２２】
第４の発明は、第１〜第３の発明において、前記工具は略く字状に屈曲した構成とするとともに、化粧カバーには前記工具の逆向き装着を防止する逆付け防止部を設けた構成としてある。
【００２３】
これにより、工具が略く字状に屈曲しているので床面近くであっても脚部の高さ調節が容易に行えるとともに、略く字状に屈曲した工具が逆向きに装着されることによって生じる弊害、例えば工具の一部が下方に飛び出し床面に接して床面を傷つける等の弊害を防止することができる。
【００２４】
第５の発明は、第１〜第４の発明において、前記冷蔵庫本体はその前方側底部の左右に搬送用の把手部材を更に備え、化粧カバーは前記把手部材も覆うとともにその工具取り付け部は前記左右の把手部材の間に位置する如く設けた構成としてある。
【００２５】
これにより、化粧カバーの左右の把手部材間に生じる長いスペースを利用して工具を装着保管することができる。よって、比較的長い寸法の工具であっても無理なく装着保管することができるとともに、化粧カバーの前後方向の幅寸法をより短いものとして化粧カバーの大型化を防止し化粧カバー前端が冷蔵庫本体の扉前面より突出するのを効果的に防止することができる。
【００２６】
第６の発明は、第５の発明において、前記把手部材は手挿入用開口と把手部とを備え、前記把手部の手挿入用開口縁側の端部に膨出部を設けた構成としてある。
【００２７】
これにより、把手部材の把手部は膨出部により厚肉化して強度が向上し冷蔵庫本体の荷重に耐えうるものとすることができる。そして、手掛け部の前後方向の長さ寸法を従来より短いものとして化粧カバーの前後方向の幅寸法を短くすることができる。したがって、手掛け部の前後方向の長さ寸法を短くした分化粧カバーの前端を後方に位置させて、化粧
カバーの前端が冷蔵庫本体の扉前面より突出することがないようにし、美観及び安全性の高い冷蔵庫とすることができる。しかも、上記膨出部は手の指の引っ掛かり部ともなるので、手の指が滑って手掛け部から不用意に外れてしまうのを防止することもでき、美観及び安全性の向上とともに搬送時の安全性をも向上させることもできる。
【００２８】
第７の発明は、第６の発明において、前記把手部材は手挿入用開口の後側の壁面に後方向に窪む凹所を設けた構成としてある。
【００２９】
これにより、手挿入用開口の後側の壁面に後方向に窪む凹所を設けた分だけ手挿入用開口後側の壁面と前記把手部の膨出部との間に形成される手挿入用開口の位置を後側にずらせることができる。したがって、当該手挿入用開口の位置を後側にずらせた分だけ把手部材の前後方向寸法を短くして、化粧カバーの前端が冷蔵庫本体の扉前面より突出することがないようにし、美観及び安全性の高い冷蔵庫とすることができる。
【００３０】
第８の発明は、第１〜第７の発明において、前記化粧カバーの前端は扉の前面と同一もしくは後方に位置する構成としてある。
【００３１】
これにより、冷蔵庫本体の前方底部の美観と安全性をより確実に向上することができる。
【００３２】
以下、本発明の実施の形態について、図面を参照しながら説明する。なお、この実施の形態によって本発明が限定されるものではない。
【００３３】
（実施の形態１）
図１は本発明の実施の形態１における冷蔵庫の斜視図、図２は同冷蔵庫の縦断面図、図３は同冷蔵庫の冷蔵庫本体前方底部を示す斜視図、図４は同冷蔵庫の冷蔵庫本体前方底部を示す正面図、図５は同冷蔵庫の冷蔵庫本体前方底部を示す側面図、図６は同冷蔵庫の冷蔵庫本体を底面側から見た斜視図、図７は同冷蔵庫の冷蔵庫本体の底面を示す下面図、図８は図７の要部拡大下面図、図９は図８のＡ−Ａ断面図、図１０は実施の形態１における冷蔵庫の脚部高さ調節用工具を取り外した時の冷蔵庫本体を底面側から見た斜視図、図１１は図１０の要部拡大斜視図、図１２は図８のＢ−Ｂ断面図、図１３は図８のＣ−Ｃ断面図である。
【００３４】
図１〜図５において、本実施の形態に係る冷蔵庫は、前方を開口した冷蔵庫本体１を備え、この冷蔵庫本体１は、主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。
【００３５】
冷蔵庫本体１は、断熱性の仕切板５．６によって複数の貯蔵室に区分されており、冷蔵庫本体１の最上部には冷蔵室７、その冷蔵室７の下部には上下二段の冷凍室８、９、更にその下部に野菜室１０が配置されている。
【００３６】
そして、前記各貯蔵室の前面開口部は、観音開き式の冷蔵室扉１１、引出式の冷凍室扉１２ａ、１２ｂ、同引出式の野菜室扉１３によって開閉可能に閉塞されている。なお、上記各扉１１、１２ａ、１２ｂ、１３の前面はガラス板で構成し、外観の意匠性を高めている。
【００３７】
また、冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３８】
また、前記冷蔵庫本体１の冷凍室背面には冷気を生成する冷却室１６が設けられており、冷却室１６からは各室に冷気を供給する冷気通路１７が形成されている。
【００３９】
冷却室１６内には冷却器１８が配設されており、冷却器１８の上部には冷却ファン１９が配置されている。前記冷却ファン１９は、冷却器１８により生成された冷気を、冷気通路１７を介して、冷蔵室７、上段冷凍室８，下段冷凍室９、野菜室１０に強制循環させ各室を冷却する。
【００４０】
一方、図６〜図８に示すように冷蔵庫本体１の底部の外箱２と内箱３との間には冷凍サイクルを構成する放熱パイプ２０の一部が敷設してあり、野菜室１０からの冷輻射によって冷蔵庫本体１の底面に結露が生じないようにしてある。
【００４１】
また、前記冷蔵庫本体１はその底部の四隅に高さ調節用の脚部２１が設けてある。この脚部２１は冷蔵庫本体１の左右の高さを調節して水平に設置可能とするもので、後述するレンチ等の工具を用いて高さ調節可能な構成としてあり、その具体構成については後に詳述する。
【００４２】
なお、脚部２１は脚金具２１ａにボルト付きの六角部を備えた脚２１ｂをねじ込んで構成してあるが、その構成は工具を用いて高さ調節可能な構造となっていれば特に限定されるものではない。
【００４３】
更に、上記冷蔵庫本体１の前方底部には脚部２１とは別に把手部材２２が設けてある。この把手部材２２は冷蔵庫本体１を上下方向に立てた状態で搬送するときに使用するもので、左右の間隔が人の肩幅と略等しくなるような位置に配置して、冷蔵庫本体１の前方底面に取り付け固定してある。
【００４４】
そして、上記冷蔵庫本体１の前方底部には化粧カバー２３が着脱自在に装着してある。この化粧カバー２３は、前記冷蔵庫本体１の前方側の脚部２１と把手部材２２を覆って安全性と意匠性を確保している。
【００４５】
ここで、上記冷蔵庫本体１の底部に敷設してある放熱パイプ２０の前方端部分は前記把手部材２２を用いて固定してあり、その構成を、図９を用いて説明しておく。
【００４６】
図９において、冷蔵庫本体１はその前方底面の前記放熱パイプ２０の前方端部と対向する部分を一段低くして本体段差部２４を設け、階段形状としてある。
【００４７】
一方、把手部材２２は把手部２５とその後方に位置する本体固定部２６とからなり、前記把手部２５の後方の本体固定部２６はその上面を冷蔵庫本体１の底面と同様に階段状にして段差を持たせてある。
【００４８】
そして、上記一段低くした段差部をパイプ固定部２７として当該部分に一対の鍵状突起部を備えたパイプ固定爪２８を立設し、このパイプ固定爪２８を内箱３の底面より内箱３と外箱２の間に突入させてその鍵状部分に前記放熱パイプ２０の前方端部を圧入し固定してある。この状態で内箱３と外箱２との間に発泡断熱材４を充填してある。
【００４９】
なお、上記パイプ固定爪２８を設けたパイプ固定部２７の下側の面には補強リブ２７ａを一体形成して強度を高めてある。
【００５０】
上記のようにして放熱パイプ２０の前方端部分を冷蔵庫本体１の底部に固定してあるが
、この放熱パイプ２０を固定保持している把手部材２２は、その本体固定部２６の野菜室１０の開口に近い前方側の一段高くて厚肉となっている部分をビス固定部３０とし、当該ビス固定部３０の下側から冷蔵庫本体１の内箱３にビス３１をねじ込んで冷蔵庫本体１の底部に取り付け固定してある。
【００５１】
また、上記把手部材２２はその把手部２５と本体固定部２６との間に手挿入用開口３２を有しており、把手部２５と化粧カバー２３の裏面との間には前記手挿入用開口３２から前方側に向かって略Ｌ字状に屈曲する手挿入部３３を形成している。
【００５２】
そして、上記把手部２５の手挿入用開口３２の前側の端部に上向きに突出する円弧状の膨出部３４を設けてある。さらに、前記手挿入用開口３２の後側の壁面に後方向に窪む凹所３５が形成してある。
【００５３】
一方、前記脚部２１及び把手部材２２を覆う化粧カバー２３には、その裏面に前記したように脚部２１の高さを調節する工具３６が装着してある。
【００５４】
以下、この工具取り付け構成について図６〜図１３を用い説明する。
【００５５】
化粧カバー２３は、図６〜図８に示すようにその裏面に工具取り付け部３７が設けてある。そして、工具３６はこの工具取り付け部３７に着脱自在に装着してある。
【００５６】
上記工具取り付け部３７は、図１１に示すように工具３６の一端側を嵌め込み固定する第一リブ３７ａ、他端側を嵌め込み固定する第二リブ３７ｂとからなり、化粧カバー２３の把手部材２２同士間の左右方向スペースに工具３６を装着可能としている。
【００５７】
そして、上記工具取り付け部３７は、工具３６の一部、この例では工具３６の前後方向幅が大きくなるレンチ部３６ａの後側が図１２に示すように冷蔵庫本体１側に突出して冷蔵庫本体１の底面とオーバーラップするような形で装着される構成としてある。
【００５８】
また、上記化粧カバー２３には工具３６を装着する部分の後側端縁にカバー部３８が一体形成してあり、化粧カバー２３の後端より本体側に突出するレンチ部３６ａ、すなわち工具３６の冷蔵庫本体１とオーバラップする部分を覆う構成としてある。
【００５９】
なお、この例では図１０、図１１に示すようにカバー部３８はオーバラップする部分だけではなく工具３６のほぼ全長にわたって設けているが、これは少なくとも工具３６の冷蔵庫本体１とオーバラップする部分だけ覆うように設ければよいものである。
【００６０】
また、上記工具３６はレンチ部３６ａと柄部３６ｂとの間を略く字状に屈曲した構成とするとともに、化粧カバー２３には前記工具３６を正規の状態と逆向きに装着（上下の面を逆向きにして装着）されるのを防止する逆付け防止部３９が設けてある。
【００６１】
この逆付け防止部３９は、図１２、図１３に示すように正規の状態に工具３６をセットした場合は工具３６の上面に当接し、上下の面を逆向きにセットすると逆付け防止部３９の先端が工具３６の上面より下方に位置する形となって第一リブ３７ａと第二リブ３７ｂによる工具３６の係止ができなくなる構成としてあるが、これは逆向き装着を防止できればどのような構成であってもよいものである。
【００６２】
以上のように構成された冷蔵庫について、次にその作用、効果を説明する。
【００６３】
本実施の形態の冷蔵庫は、冷蔵庫本体１の前方底部に化粧カバー２３を設けて前記把手
部２５とともに脚部２１も覆っているが、この化粧カバー２３はその裏面に工具取り付け部３７を設け、この工具取り付け部３７に脚部２１の高さ調節をするための工具３６を装着してある。
【００６４】
したがって、冷蔵庫本体１が大型で大重量化しているものであっても、工具３６を用いて脚部２１の高さ調節を容易に行うことができる。
【００６５】
また、脚部２１の高さ調節を行った後の工具３６は化粧カバー２３の裏面に装着して保管することができ、紛失を防止することができる。
【００６６】
更に、冷蔵庫本体１を別の場所に移動させて再設置するような時にも、化粧カバー２３を取り外して工具３６を取り出し、脚部２１の高さ調節を容易に行うことができる。
【００６７】
そして、上記化粧カバー２３の取り外しは脚部２１の高さ調節を行う際に必ず行う作業であるので、この化粧カバー２３の取り外しによって工具３６の存在に気づき、わざわざ工具３６を探すことなく使用できる。
【００６８】
しかも上記工具３６を取り出すための作業は高さ調節を行う際に必ず行う必須の作業であるので、工具取り出しのための動作を別途行うというわずらわしさもない。
【００６９】
よって、再設置の際の作業性は著しく向上する。
【００７０】
ここで、上記脚部２１の高さ調節の作業性を向上させるために、工具３６を化粧カバー２３に装着しておく構成とすると、化粧カバー２３の前後方向幅が長大化し、化粧カバー２３の前端が冷蔵庫本体１の野菜室扉１３前面より前方に突出しやすくなる弊害が生じる。
【００７１】
すなわち、化粧カバー２３に工具３６を装着する構成とすると、化粧カバー２３に装着した工具３６の前後方向幅が大きなものである場合、この例ではレンチ部３６ａの前後方向幅が大きいので、このレンチ部３６ａの前後方向幅分だけ化粧カバー２３の前後方向寸法が長大化する。その結果、化粧カバー２３の前端が冷蔵庫本体１の野菜室扉１３前面より突出しがちになる。
【００７２】
しかしながら、本実施の形態では、上記化粧カバー２３に設けた工具取り付け部３７は、工具３６のレンチ部３６ａの後方部が冷蔵庫本体１側に突出して冷蔵庫本体１の底面とオーバーラップする状態で装着可能な構成としてあるから、このオーバラップする分だけ化粧カバー２３の前後方向幅を短縮することができる。
【００７３】
したがって、その分化粧カバー２３の前端を後方に位置させて化粧カバー２３の前端が冷蔵庫本体１の野菜室扉１３前面より突出することがないように設置することができ、美観及び安全性の高い冷蔵庫とすることができる。
【００７４】
また、上記化粧カバー２３は工具３６の冷蔵庫本体１とオーバラップするレンチ部３６ａを覆うカバー部３８が設けてあるので、冷蔵庫本体１の底部に結露が生じてこれが落下するようなことがあっても工具３６に結露水が付着するのを防止できる。
【００７５】
よって、金属で形成することが多い工具３６の腐食を防止して長期間良好な状態で保管しておくことができる。
【００７６】
また、前記工具３６は略く字状に屈曲した構成としてあるので、脚部２１の高さが低く
ても柄部３６ｂが床面に接して調節作業の邪魔になるようなことがなく、脚部２１の高さ調節を容易に行うことができる。
【００７７】
この場合、工具３６は略く字状に屈曲しているので正規の状態とは逆向きの状態で装着すると、工具３６の一部、例えばこの場合はレンチ部３６ａの一部が床面側に大きく飛び出し、床面に接して床面を傷つける等の恐れがある。
【００７８】
しかしながら、本実施の形態では上記化粧カバー２３には工具取り付け部３７とともに工具３６の逆向き装着を防止する逆付け防止部３９が設けてあるので、工具３６の逆向き装着を防止することができる。
【００７９】
したがって、工具３６のレンチ部３６ａの一部が下方に飛び出し床面に接して床面を傷つける等の弊害を防止することができる。
【００８０】
また、上記化粧カバー２３に設けた工具取り付け部３７は冷蔵庫本体１に設けた前記左右の把手部材２２の間に位置する形としてあるので、化粧カバー２３の把手部材２２間に生じる左右方向のスペースを利用して比較的長い寸法の工具であっても無理なく装着保管することができる。これと同時に化粧カバー２３の前後方向の幅寸法を短いものとすることもできる。これにより、化粧カバーの大型化を防止して、より確実に化粧カバー２３の前端が野菜室扉１３前面より飛び出さないようにすることができる。
【００８１】
また、上記把手部材２２は把手部２５の手挿入用開口側の端部に膨出部３４を設けた構成としてあるので、把手部２５が膨出部３４により厚肉化して強度が向上し、大重量化した冷蔵庫本体であってもその荷重に耐えうるものとすることができる。そして、把手部２５の前後方向の長さ寸法を従来のものより短いものとして化粧カバー２３の前後方向の幅寸法を短くすることができる。
【００８２】
よって、把手部２５の前後方向の長さ寸法を短くした分化粧カバー２３の前後方向寸法を小型化して化粧カバー２３の前端が後方に位置するようにし、冷蔵庫本体１の野菜室扉１３前面より突出することがないようにすることができる。
【００８３】
また、上記膨出部３４は手の引っ掛かり部ともなるので、手の指が滑って把手部２５から不用意に外れてしまうのを防止することもでき、搬送時の安全性をも向上させることができる。
【００８４】
更に、上記把手部材２２は手挿入用開口３２の後側の壁面に後方向に窪む凹所３５を設けているので、この凹所３５を設けた分だけ手挿入用開口３２の後側壁面と前記把手部２５の膨出部３４との間に形成される手挿入用開口３２の位置を後側にずらせることができる。
【００８５】
したがって、当該手挿入用開口３２の位置を後側にずらせた分だけ把手部材２２の前後方向寸法を短くすることができる。これによって、化粧カバー２３の前後方向寸法も小型化して化粧カバー２３の前端が後方に位置するようにし、冷蔵庫本体１の野菜室扉１３前面より突出することがないようにすることができる。
【００８６】
そして、上記のように化粧カバー２３の前端が野菜室扉１３の前面から突出しないようにすることによって、冷蔵庫本体１の前方底部の美観と安全性を良好なものとすることができる。
【００８７】
更に、本実施の形態の冷蔵庫は、次のような効果も有する。
【００８８】
すなわち、冷蔵庫本体１の前方底部に取り付けた前記把手部材２２にはそのパイプ固定部２７にパイプ固定爪２８を設けて、当該パイプ固定爪２８によって冷蔵庫本体１の底部に敷設した放熱パイプ２０の前方端部分を固定している。
【００８９】
したがって、放熱パイプ２０の前方端部分は、発泡断熱材の発泡圧変動や組み立て輸送時の振動等があっても位置ずれすることがなく、所定位置に正確に固定される。これにより、放熱パイプ２０の前方端部分が上下方向に位置ずれすることにより生じる省エネ性と防露効果のばらつきを解消して安定した省エネと防露効果を持つ冷蔵庫とすることができる。また、放熱パイプ２０の前方端部分を固定するに際し、テープ貼り等をする必要がないので、部品点数増や工数増によるコストアップを招くことがなく、安価にパイプ固定することができる。
【００９０】
ここで、上記省エネ性と防露効果をばらつくことなく安定させるために、把手部材２２のパイプ固定部２７にパイプ固定爪２８を設けて放熱パイプ２０の前方端部分を固定する構成とすると、内箱３の内部に突入するパイプ固定爪２８の高さ寸法ｈ分だけ放熱パイプ２０の前方端部分が野菜室１０の底面近くに位置する形となる。そのため、放熱パイプ２０による野菜室１０への熱影響が増大し、冷却運転の頻度が上がって省エネ性が低下するという弊害が生じる。
【００９１】
しかしながら、本実施の形態では、上記放熱パイプ２０の前方端部分を固定する部分の冷蔵庫本体底面は一段低くして本体段差部２４を設けているので、この段差によって放熱パイプ２０の前方端部分と野菜室１０の底面との間の寸法、すなわち断熱距離は大きなものとなる。したがって、放熱パイプ２０による野菜室１０への熱影響を低減することができ、省エネ性を高めることができる。
【００９２】
つまり本実施の形態の構成とすることにより、省エネ性と防露効果を安定させるだけでなく省エネ性そのものを高めることもできる。
【００９３】
また、本実施の形態の把手部材２２は本体固定部２６を冷蔵庫本体の底面形状と同様段差を持たせて、野菜室１０の開口に近い前方側のビス固定部３０をビス３１によって固定しているので、冷蔵庫本体１の底部に強固に取り付け固定することができる。
【００９４】
すなわち、把手部材２２は階段状として段差を持たせたことにより野菜室１０の開口に近い前方側のビス固定部３０は一段高くなって厚肉となっており、その分堅牢なものとなり、冷蔵庫本体１の底部に強固に取り付け固定することができるのである。
【００９５】
その結果として、大重量化した冷蔵庫本体１の重量に耐えうる把手とすることができるのはもちろん、放熱パイプ２０の前方端位置を所定位置に強固かつ正確に固定することができる。これにより、省エネ性および防露効果を更に安定したものとすることができる。
【００９６】
加えて上記把手部材２２のパイプ固定爪２８を設けたパイプ固定部２７の下側の面には補強リブ２７ａを一体形成してあるので、一段低くして強度が弱くなりがちなパイプ固定部２７自体の強度も高まり、パイプ固定爪２８による放熱パイプ２０の固定をより堅牢なものとして、省エネ性および防露効果の安定化を更に高めることができる。
【００９７】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範
囲内でのすべての変更が含まれることが意図される。
【産業上の利用可能性】
【００９８】
以上のように、本発明の冷蔵庫は、工具を用いて脚部の高さ調節が可能であり、しかも高さ調節後の工具の紛失がなく、かつ、再設置時には工具忘れをすることなくこれを用いて高さ調節することができ、再設置の際の作業性が高い冷蔵庫とすることができる。よって、家庭用冷蔵庫をはじめとして業務用冷蔵庫、自動販売機など他の冷凍冷蔵応用商品に広く適用できる。
【符号の説明】
【００９９】
１  冷蔵庫本体
２  外箱
３  内箱
４  発泡断熱材
５、６  仕切板
７  冷蔵室
８  上段冷凍室
９  下段冷凍室
１０  野菜室
１１  冷蔵室扉
１２ａ、１２ｂ  冷凍室扉
１３  野菜室扉
１４  機械室
１５  圧縮機
１６  冷却室
１７  冷気通路
１８  冷却器
１９  冷却ファン
２０  放熱パイプ
２１  脚部
２１ａ  脚金具
２１ｂ  脚
２２  把手部材
２３  化粧カバー
２４  本体段差部
２５  把手部
２６  本体固定部
２７  パイプ固定部
２７ａ  補強リブ
２８  パイプ固定爪
３０  ビス固定部
３１  ビス
３２  手挿入用開口
３３  手挿入部
３４  膨出部
３５  凹所
３６  工具
３６ａ  レンチ部
３６ｂ  柄部
３７  工具取り付け部
３７ａ  第一リブ
３７ｂ  第二リブ
３８  カバー部
３９  逆付け防止部
【図１】
2019011935.tif 000003
【図２】
2019011935.tif 000004
【図３】
2019011935.tif 000005
【図４】
2019011935.tif 000006
【図５】
2019011935.tif 000007
【図６】
2019011935.tif 000008
【図７】
2019011935.tif 000009
【図８】
2019011935.tif 000010
【図９】
2019011935.tif 000011
【図１０】
2019011935.tif 000012
【図１１】
2019011935.tif 000013
【図１２】
2019011935.tif 000014
【図１３】
2019011935.tif 000015
【図１４】
2019011935.tif 000016